(57)【要約】【課題】操作者が結露防止ヒータの出力を結露防止のために過不足なく変更することが可能な冷蔵庫を提供する。【解決手段】結露防止ヒータ８は、本体の周囲温度及び周囲湿度に基づいた出力で運転されるとともに必要に応じて出力の変更が可能であり、本体の所定位置に周囲温度及び前記周囲湿度と結露防止ヒータ８の出力との関係を示す出力表示ＩＦ１が配置されている冷蔵庫Ｒｆ。【選択図】図５
2019200043.tif 000002
【特許請求の範囲】
【請求項１】
温度を検出する温度検出部と、
湿度を検出する湿度検出部と、
加熱を行う結露防止ヒータと、
温度と湿度とに基づく前記結露防止ヒータの出力が設定された出力テーブルを記憶している記憶部を備え、前記記憶部に記憶された前記出力テーブルと前記温度検出部が検出した温度と前記湿度検出部が検出した湿度とに基づいて前記結露防止ヒータを駆動制御する制御部と、を有し、
前記出力テーブルの内容を表示する出力表示手段が設けられた冷蔵庫。
【請求項２】
操作者の操作入力に基づいて前記結露防止ヒータの出力を増減させる調整モードを有
する請求項１に記載の冷蔵庫。
【請求項３】
操作入力を受け付ける操作入力部を備えており、
前記操作入力部が受け付けたとき、前記操作入力に基づいて前記結露防止ヒータの出力が変更される請求項２に記載の冷蔵庫。
【請求項４】
操作入力に基づいて変更された出力で前記結露防止ヒータを駆動するとともに、一定時間経過後には、前記温度及び前記湿度に基づく出力で前記結露防止ヒータを駆動する請求項３に記載の冷蔵庫。
【請求項５】
前記出力テーブルから前記温度及び前記湿度に基づく出力を取得するとともに、前記操作入力部からの操作入力に基づく出力とを比較し、
前記温度と前記湿度に対する出力を較正する請求項３または請求項４に記載の冷蔵庫。
【発明の詳細な説明】
【技術分野】
【０００１】
本発明は、結露を防止するための結露防止ヒータを備えた冷蔵庫に関するものである。
【背景技術】
【０００２】
結露（露付き）を防止することができる冷蔵庫が特許文献１に記載されている。この冷蔵庫では、冷凍室に隣接した筐体の横仕切り板、壁面及び扉で発生する結露を防止するための防露ヒータ（結露防止ヒータ）が配置されている。そして、前記冷蔵庫では、露付きの生じにくい冷蔵庫の上部扉の上部のヒンジカバー又は基板収納部の近傍に筐体表面温度を計測する温度センサと外気湿度を計測する湿度センサを配置している。そして、前記温度センサと前記湿度センサで検出した筐体表面温度と外気湿度に応じて前記横仕切り板が結露しないように前記防露ヒータの出力を算出し、その算出した出力で前記防露ヒータを運転することで、結露を防止（防露）している。
【先行技術文献】
【特許文献】
【０００３】
【特許文献１】特開平１０−３３９５５５号公報（段落００２１）
【発明の概要】
【発明が解決しようとする課題】
【０００４】
上記従来の冷蔵庫において、前記温度センサ及び前記湿度センサが配置されている部分と、結露が発生しやすい前記横仕切り板との位置が離れている。また、前記冷蔵庫は台所に置かれることが多く、油等の付着や劣化によって  前記湿度センサが正確な湿度を検出できない場合がある。つまり、前記横仕切り板の周囲の温度及び湿度と、前記温度センサ及び前記湿度センサで検出した筐体表面温度及び外気湿度とにかい離が生じ、算出した出力で前記防露ヒータを運転すると、結露を防止できない恐れがある。
【０００５】
そこで本発明は、操作者が結露防止ヒータの出力を結露防止のために過不足なく変更することが可能な冷蔵庫を提供することを目的とする。
【課題を解決するための手段】
【０００６】
上記目的を達成するために本発明は、本体の周囲温度を検出する温度検出部と、前記本体の周囲湿度を検出する湿度検出部と、本体の一部を加熱して結露を防止する結露防止ヒータとを有し、前記結露防止ヒータは、本体の周囲温度及び周囲湿度に基づいた出力で運転されるとともに必要に応じて出力の変更が可能であり、前記本体の所定位置に前記周囲温度及び前記周囲湿度と前記結露防止ヒータの出力との関係を示す表である出力表示が配置されていることを特徴とする冷蔵庫を提供する。
【発明の効果】
【０００７】
本発明によると、操作者が結露防止ヒータの出力を結露防止のために過不足なく変更することが可能な冷蔵庫を提供することができる。
【図面の簡単な説明】
【０００８】
【図１】本発明にかかる冷蔵庫の一例の正面から見た断面図である。
【図２】図１に示すII-II線で切断した断面図である。
【図３】図１に示すIII-III線で切断した断面図である。
【図４】図１に示す冷蔵庫の構成を示すブロック図である。
【図５】冷蔵室の扉を開いた状態を示す図である。
【図６】冷蔵室の扉を閉じた状態を示す図である。
【図７】本発明にかかる冷蔵庫を上から見た斜視図である。
【図８】本発明にかかる冷蔵庫に備えられた操作入力部と表示部の一例の拡大図である。
【図９】周囲温度及び周囲湿度と結露防止ヒータの出力を示す出力テーブルである。
【図１０】結露防止ヒータの出力を調整する手順を示すフローチャートである。
【図１１】本発明にかかる冷蔵庫の他の例の背面図である。
【図１２】出力テーブルの他の例を示す図である。
【図１３】本発明にかかる冷蔵庫の他の例の動作を示すフローチャートである。
【発明を実施するための形態】
【０００９】
以下に本発明の実施形態について図面を参照して説明する。
【００１０】
（第１実施形態）
次に、本発明にかかる冷蔵庫について図面を参照して説明する。図１は本発明にかかる冷蔵庫の一例の正面から見た断面図であり、図２は図１に示すII-II線で切断した断面図
であり、図３は図１に示すIII-III線で切断した断面図である。なお、以下の説明では、
図１の位置を基準として説明することとし、右又は左という場合、図１の状態を基準とするものとする。
【００１１】
冷蔵庫Ｒｆは発泡断熱材を充填した断熱箱体１００を有している。冷蔵庫Ｒｆは、断熱箱体１００の内部を仕切壁で仕切って複数個の貯蔵室を備えている。断熱箱体１００の内部を上下に分割する仕切壁１０１が上下方向の中間部分に設けられている。また、下部の空間の内部を上下に分割する仕切壁１０２が設けられている。そして、仕切壁１０２で仕切られた上部の空間を左右に分割する仕切壁１０３が設けられている。さらに仕切壁１０３で仕切られた左側の空間を上下に分割する仕切壁１０４が設けられている。
【００１２】
冷蔵庫Ｒｆの複数の貯蔵室のうち、仕切壁１０１の上方に形成された貯蔵室が冷蔵室１である。仕切壁１０２の下方に形成された貯蔵室が下段冷凍室２である。仕切壁１０３で仕切られた左側の空間の下段の貯蔵室が上段冷凍室３であり、上段の貯蔵室が製氷室４（氷収容部）である。さらに、上段冷凍室３及び製氷室４の右側の貯蔵室が野菜室５である。
【００１３】
なお、冷蔵室、下段冷凍室、上段冷凍室、製氷室及び野菜室はこの順番である必要はなく、使用頻度、貯蔵物の量等に合わせて変更することが可能であってもよい。また、これらの貯蔵室以外の温度で貯蔵物を貯蔵する貯蔵室を備えていてもよい。
【００１４】
下段冷凍室２及び上段冷凍室３は貯蔵物を冷凍保存する（例えば、−１８℃で保存する）ための貯蔵室である。製氷室４は不図示の製氷装置で製造された氷を貯蔵しておく貯蔵室であり、下段冷凍室２及び上段冷凍室３と同じ温度に維持される。
【００１５】
図２に示すように、仕切壁１０２には、下段冷凍室２と上段冷凍室３とが連通するように開口１０５が設けられている。また、同様に仕切壁１０４には、上段冷凍室３と製氷室４とが連通するように開口１０６が設けられている。冷蔵庫Ｒｆにおいて、下段冷凍室２、上段冷凍室３及び製氷室４は１つのまとまった断熱領域となっている。
【００１６】
そして、冷蔵室１は貯蔵物を下段冷凍室２及び上段冷凍室３よりも高い温度（例えば、３℃〜５℃）で冷蔵保存し、野菜室５は冷蔵室１よりも高い温度（例えば、７℃〜８℃）に維持して野菜等の貯蔵物を冷蔵保存する。なお、各貯蔵室の温度はこれに限定されるものではなく、各貯蔵室に貯蔵される物品の劣化を抑制できる温度に設定される。また、使
用者が必要に応じて或いは好みに合わせて温度設定できるようになっていてもよい。
【００１７】
冷蔵室１は左右端でそれぞれ枢支された観音開きの一対の扉１１により開閉される。そして、冷蔵室１には、空間を上下に仕切るための複数個の棚１２が設けられているとともに、扉１１の内側には複数個のポケット１３が設けられており、調味料、飲料等、縦長で転倒しやすい物品を貯蔵できるようになっている。
【００１８】
下段冷凍室２、上段冷凍室３、製氷室４及び野菜室５はそれぞれ収納ケース２２、３２、４２及び５２を備え、一体に形成される引出式の扉２１、３１、４１及び５１によって開閉される。なお、下段冷凍室２には、収納ケース２２の上部に収納ケース２２に対して摺動可能に配置された摺動ケース２３が設けられている。
【００１９】
冷蔵庫Ｒｆは、ダンパ７１を介して連通する冷気通路６及び冷気流路７を備えている。冷気通路６は下段冷凍室２、上段冷凍室３及び製氷室４の背面に設けられている。また、冷気流路７は冷蔵室１の背面側に設けられている。
【００２０】
冷気通路６及び冷気流路７にはそれぞれ冷気を循環させる冷凍室ファン６１、冷蔵室ファン７２が配されている。冷凍室ファン６１の下方には冷気を発生する蒸発器６２が配されている。蒸発器６２の下方には蒸発器６２に付着した霜を取り除く（除霜する）ための除霜ヒータ６３が配されている。
【００２１】
冷気通路６は、下段冷凍室２、上段冷凍室３及び製氷室４それぞれに冷気を吐出する開口である吐出口６０１、６０２及び６０３と、下段冷凍室２から冷気通路６に冷気が戻る開口である戻り口６０４とを備えている。吐出口６０１、６０２及び６０３された冷気は、それぞれ、下段冷凍室２、上段冷凍室３及び製氷室４を冷却し、戻り口６０４から冷気通路６に戻る。
【００２２】
なお、下段冷凍室２、上段冷凍室３及び製氷室４は１つのまとまった断熱領域であるため、吐出口６０３のみを備えて、冷気が製氷室４に吹付けるようにしてもよい。このようにすることで、吐出口６０３から吐出された冷気が製氷室４、上段冷凍室３、下段冷凍室２の順に流れて、戻り口６０４から冷気通路６に冷気を戻すことができ、下段冷凍室２、上段冷凍室３及び製氷室４を効率よく冷却することができる。また、製氷室４が冷気流路の上流であり、製氷室４に貯蔵されている氷からの冷気で上段冷凍室３及び下段冷凍室２の温度を維持することが可能であり、消費電力を低減することが可能である。
【００２３】
冷気流路７は、冷気を冷蔵室に吐出する開口である複数の吐出口７０１を備えている。複数の吐出口７０１は冷蔵室１の棚で仕切られたそれぞれの段に冷気を吐出するように４カ所備えられている。仕切壁１０１には、冷蔵室１と野菜室５とを連通する連通路７０２が設けられている。なお、冷気は冷蔵室１を流動するときに貯蔵物から熱を奪うため昇温される。そして、その昇温された冷気が連通路７０２から野菜室５に流入する。そのため、野菜室５は冷蔵室１よりも高温に維持される。野菜室５を流動した冷気は、戻り口７０３を介して冷気通路６に戻る。戻り口７０３は、野菜室５の下側及び背面側に設けられている。
【００２４】
下段冷凍室２の背面の冷気通路６の下方には機械室１０が設けられており、機械室１０の内部には冷凍サイクルを運転する圧縮機１４が設置されている。圧縮機１４の駆動によって冷媒配管（不図示）内を冷媒が流通し、冷媒配管を介して圧縮機１４と接続された蒸発器６２が低温になる。また、機械室１０には、後述の制御部２００を含む制御基板Ｂｄが配置されている。機械室１０は背面に開閉可能な蓋（不図示）が設けられており、蓋を開く（取り外す）ことで、機械室１０の内部（圧縮機１４、制御基板Ｂｄ）にアクセスできる。
【００２５】
蒸発器６２では、熱交換を行う度に空気中の水分が結露しさらに凍結した霜としてフィンに付着する。霜が付着すると空気が流れにくくなるため、熱交換ができなくなり、冷却効率が低下する。そこで、蒸発器６２の下方には、蒸発器６２に付着した霜を取り除く（除霜する）ための除霜ヒータ６３が配されている。除霜ヒータ６３の上面はヒータカバー６３１に覆われている。ヒータカバー６３１によって、除霜水が除霜ヒータ６３上に滴下することによる除霜ヒータ６３の故障、破損等を抑制する。
【００２６】
次に冷蔵庫Ｒｆの電気的な構成について説明する。図４は図１に示す冷蔵庫の構成を示すブロック図である。図４に示すように、冷蔵庫Ｒｆは各部の動作を制御する制御部２００を備えている。制御部２００には、圧縮機１４、冷凍室ファン６１、冷蔵室ファン７２、ダンパ７１、除霜ヒータ６３、結露防止ヒータ８、冷凍室温度センサＳ１、冷蔵室温度センサＳ２、周囲温度センサＳ３（温度検出部）、周囲湿度センサＳ４（湿度検出部）、操作入力部Ｉｐ及び表示部Ｄｐが接続されている。そして、制御部２００は、計時部２０１と、記憶部２０２とを備えている。
【００２７】
なお、圧縮機１４、冷凍室ファン６１、冷蔵室ファン７２、ダンパ７１、除霜ヒータ６３及び結露防止ヒータ８は制御部２００からの制御信号によって動作するものである。また、冷凍室温度センサＳ１、冷蔵室温度センサＳ２、周囲温度センサＳ３、周囲湿度センサＳ４及び操作部Ｉｐは、制御部２００に対して信号を入力するものである。
【００２８】
圧縮機１４は、制御部２００により回転数が可変制御（例えば、インバータ制御）される。計時部２０１は、任意の時点からの経過時間を計測する。記憶部２０２は制御部２００に送られてきた情報、制御部２００で処理した情報、予め制御部２００に与えられている情報等の情報を記憶するメモリである。なお、計時部２０１及び記憶部２０２は制御部２００に一体に形成されているが、これに限定されるものではなく、制御部２００と独立して設けられるとともに、制御部２００が自由にアクセスできる構成であってもよい。
【００２９】
冷凍室温度センサＳ１は下段冷凍室２の内部に配置され下段冷凍室２の内部の温度を検知して冷凍室温度信号を生成し、制御部２００に送る。冷蔵室温度センサＳ２は、冷蔵室１の内部に配置され冷蔵室１の内部の温度を検知して冷蔵室温度信号を生成し、制御部２００に送る。なお、冷凍室温度センサＳ１及び冷蔵室温度センサＳ２は、温度を検知するセンサであり、例えば、サーミスタを用いたものを挙げることができるがこれに限定されない。また、冷凍室温度センサＳ１は、下段冷凍室２と同じ断熱領域である上段冷凍室３或いは製氷室４の温度を検知するようにしてもよい。
【００３０】
本発明にかかる冷蔵庫の詳細について新たな図面を参照して説明する。図５は冷蔵室の扉を開いた状態を示す図であり、図６は冷蔵室の扉を閉じた状態を示す図であり、図７は本発明にかかる冷蔵庫を上から見た斜視図である。図７に示すように、冷蔵庫Ｒｆの断熱箱体１００の上面には、一対の扉１１を回動可能に支持するヒンジ１１０と、ヒンジ１１０を覆うヒンジカバー１１１とが設けられている。ヒンジ１１０は、断熱箱体１００の前面の左右両端部分に設けられている。ヒンジカバー１１１を設けることで、ヒンジ１１０を使用者から見えないように目隠しするとともに、使用者或いは物品が触れないようにすることができる。ヒンジカバー１１１は、一面が開口した箱体である。
【００３１】
冷蔵庫Ｒｆでは、左右両方に設けられたヒンジ１１０のうち一方（図５では左側）を覆うヒンジカバー１１１で囲まれる空間に、冷蔵庫Ｒｆの周囲温度を検出する周囲温度センサＳ３と、冷蔵庫Ｒｆの周囲の湿度を検出する周囲湿度センサＳ４とが配置される。なお、ヒンジカバー１１１には、空気が流動できるような通気孔が設けられている。
【００３２】
周囲温度センサＳ３は冷蔵庫Ｒｆの周囲の温度（冷蔵庫Ｒｆの表面の温度）を、検出して周囲温度信号を生成し、制御部２００に送る。周囲湿度センサＳ４は、冷蔵庫Ｒｆの周囲の湿度を検出して周囲湿度信号を生成し、制御部２００に送る。
【００３３】
冷蔵庫Ｒｆにおいて、一対の扉１１の開閉頻度が高い。また、一対の扉１１は、それぞれ左右の端部を軸として中間部分が回動することで開くため、中間部分の扉１１同士の接触部分から外気が流入しやすく、結露しやすい。そのため、結露防止ヒータ８は、冷蔵室１の前面を開閉する一対の扉１１の一方の扉の他方の扉とのあわせ部分（接触部分）を加熱するように設けられる（図５参照）。すなわち、図５に示す冷蔵Ｒｆでは、一対の扉１１の右側の扉１１（ここでは、右側扉１１Ｒとする）の左側の扉１１（ここでは、左側扉１１Ｌとする）とのあわせ部分（接触部分）の内部に、合せ部分の温度を上げて結露を防止するように配置されている。なお、右側ではなく左側に設けられていてもよいし、左右両方に設けられていてもよい。
【００３４】
冷蔵庫Ｒｆでは、操作入力部Ｉｐは冷蔵室１の扉１１（図６において右側扉１１Ｒ）の前面に設けられている。操作入力部Ｉｐは冷蔵室１、下段冷凍室２、上段冷凍室３、製氷室４及び野菜室５の設定等（例えば、温度設定等）を行う入力装置である。また、操作入力部Ｉｐの近傍（図６において、操作入力部Ｉｐの上方）に冷蔵庫Ｒｆの状態等（運転状態等）を表示する表示部Ｄｐが配置されている。
【００３５】
ここで、操作入力部Ｉｐと表示部Ｄｐとについて図面を参照して説明する。図８は本発明にかかる冷蔵庫に備えられた操作入力部と表示部の一例の拡大図である。図８に示すように、操作入力部Ｉｐは、４個の押しボタンスイッチＩｐ１、Ｉｐ２、Ｉｐ３及びＩｐ４を備えている。以下の説明において、４個の押しボタンスイッチは、第１ボタンスイッチＩｐ１、第２ボタンスイッチＩｐ２、第３ボタンスイッチＩｐ３及び第４ボタンスイッチＩｐ４として説明する。
【００３６】
図８において、最も上に配置された第１ボタンスイッチＩｐ１は、メニューボタンである。冷蔵庫Ｒｆにおいて、第１ボタンスイッチＩｐ１を押すことで、押しボタンによる操作入力の受付が開始される。第１ボタンスイッチＩｐ１の直下に配置された第２ボタンスイッチＩｐ２は、上に移動する操作入力を行うボタンである。第２ボタンスイッチＩｐ２の直下に配置された第３ボタンスイッチＩｐ３は、下に移動する操作入力を行うボタンである。そして、最も下に配置された第４ボタンスイッチＩｐ４は決定ボタンであり、操作入力部Ｉｐで行った操作を決定（確定）するためのボタンである。なお、本実施形態では、４個の押しボタンを備えた操作入力部Ｉｐを例に説明するが、これに限定されるものではない。３個以下であってもよいし、５個以上であってもよい。また、ノッチ等で段階的に温度設定できる構成を備えていてもよいし、ダイヤル等の無段階で調整可能な構成を備えていてもよい。
【００３７】
表示部Ｄｐは、４個のランプ（ここでは、ＬＥＤランプ）Ｄｐ１、Ｄｐ２、Ｄｐ３及びＤｐ４を備えている。以下の説明において、第１ＬＥＤランプＤｐ１、第２ＬＥＤランプＤｐ２、第３ＬＥＤランプＤｐ３及び第４ＬＥＤランプＤｐ４として説明する。本実施形態において、表示部Ｄｐの各ＬＥＤランプは、冷却庫Ｒｆの運転状態を示すためのランプである。なお、運転状態としては、例えば、通常運転、急速冷却運転、省電力運転等を挙げることができる。本実施形態では、第1運転Ｍ１、第２運転Ｍ２、第３運転Ｍ３、第４
運転Ｍ４としている。
【００３８】
図８において最も上に配置された第１ＬＥＤランプＤｐ１は、第１運転Ｍ１であることを示すランプである。すなわち、第１ＬＥＤランプＤｐ１が点灯しているときに冷蔵庫Ｒ
ｆが第１運転Ｍ１であることを示す。同様に、第２ＬＥＤランプＤｐ２が点灯しているときに冷蔵庫Ｒｆが第２運転Ｍ２、第３ＬＥＤランプＤｐ３が点灯しているときに冷蔵庫Ｒｆが第３運転Ｍ３、第４ＬＥＤランプＤｐ４が点灯しているときに冷蔵庫Ｒｆが第４運転Ｍ４であることを示す。なお、本実施形態では、４個のＬＥＤランプで状態を示す表示部Ｄｐを採用しているが、これに限定されるものではなく、さらに多くＬＥＤランプを備えていてもよいし、表示する文字が光る自発光式の表示部を採用してもよい。また、別の状態、例えば、各貯蔵室の温度（温度域）を表すものであってもよい。
【００３９】
冷蔵庫Ｒｆの冷蔵室１の扉１１の合せ部分の結露量は、周囲温度と周囲湿度によって決まる。そのため、制御部２００は周囲温度センサＳ３からの周囲温度信号と周囲湿度センサＳ４からの周囲湿度信号に基づいて結露防止ヒータ８の出力（発熱量）を決定している。制御部２００は、周囲温度及び周囲湿度に基づく結露防止ヒータ８の出力を記憶部に記憶しているテーブルから取得している。図９は周囲温度及び周囲湿度と結露防止ヒータの出力を示す出力テーブルである。
【００４０】
図９に示す出力テーブルＴｂ１は周囲温度と周囲湿度に対する結露防止ヒータ８の出力を示しており、横を周囲温度の分布、縦を周囲湿度の分布としている。例えば、周囲温度センサＳ３が検出した周囲温度がＴｈ２以上Ｔｈ３未満で、周囲湿度センサＳ４が検出した周囲湿度がＨｍ５以上Ｈｍ６未満のとき、図９に示す出力テーブルＴｂ１を参照して、結露防止ヒータ８の適切な出力はＷ３５であることがわかる。なお、図９に示す例では、温度分布の区切りを５段階、湿度分布の区切りを１０段階としているがこれに限定されるものではなく、さらに多い（少ない）段階に分割されていてもよい。
【００４１】
制御部２００は、周囲温度センサＳ３及び周囲湿度センサＳ４からの周囲温度及び周囲湿度のデータを取得すると、記憶部２０２に記憶されている出力テーブルＴｂｍ１（ここでは、出力テーブルＴｂ１と同じ）を参照して、周囲温度及び周囲湿度に基づく結露防止ヒータ８の出力を取得する。なお、出力テーブルＴｂ１の各値となるとき（周囲温度、周囲湿度）を、段階として説明する。また、段階が上がるとは、結露防止条件が厳しくなる、すなわち、周囲温度及び（又は）周囲湿度が高い方に移動することを示すものとする。例えば、図９に示すような出力テーブルＴｂ１において、周囲湿度の段階が上がると下の段に移行し、周囲温度の段階が上がると右の段に移行する。
【００４２】
ここで結露防止ヒータ８の動作について説明する。結露防止ヒータ８はＯＮ／ＯＦＦを切り替えたときのＯＮの割合、すなわち、デューティー比で出力を調整する。出力テーブルＴｂ１における結露防止ヒータ８の出力は、１周期あたりの出力を示している。例えば、結露防止ヒータ８の出力が１０Ｗで、周期が１００秒とし、出力テーブルＴｂ１に記載の出力が４Ｗとする。結露防止ヒータ８は、１周期１００秒中４０秒間ＯＮし、６０秒間ＯＦＦする。これにより、結露防止ヒータ８は４Ｗ（１周期あたり）の出力となる。なお、結露防止ヒータ８をＯＮ／ＯＦＦ制御している制御信号を検出することで、結露防止ヒータ８の出力を検出することが可能である。
【００４３】
冷蔵庫Ｒｆの出力テーブルＴｂ１は、所定条件（周囲温度及び周囲湿度）の環境下で実際に冷蔵庫Ｒｆを運転したときに結露が発生しないように結露防止ヒータ８を運転したときの結露防止ヒータ８の出力の実測値に基づいて作成される。なお、出力テーブルＴｂ１の結露防止ヒータ８の出力値は、結露を防止するとともに消費電力を最低限に抑えることができる出力値である。なお、テーブルＴｂ１では、結露防止ヒータ８の出力として、すべて異なる値（異なる文字）としているが、一部同じ数値となっていてもよい。
【００４４】
冷蔵庫Ｒｆは運転開始とともに、周囲温度センサＳ３で周囲温度を周囲湿度センサＳ４で周囲湿度の検出を行う。そして、制御部２００はその周囲温度及び周囲湿度に基づいて
結露防止ヒータ８を駆動制御している。これにより、扉１１の合せ部分での結露の発生を抑制している。
【００４５】
台所では、水蒸気を放出する調理機器（例えば、炊飯器や湯沸かしポット）が冷蔵庫Ｒｆの近くに配置されることがある。このような機器を用いて調理を開始すると水蒸気が放出され、扉１１の周囲の温度及び湿度が、周囲温度センサＳ３及び周囲湿度センサＳ４で検知した周囲温度及び周囲湿度よりも高くなり、結露防止ヒータ８を駆動しているにも関わらず、結露が発生する場合がある。つまり、制御部２００の制御によって周囲温度センサＳ３及び周囲湿度センサＳ４で検出した周囲温度及び周囲湿度に基づく出力で結露防止ヒータ８が駆動されても、十分に結露を防止できなくなる場合がある。
【００４６】
冷蔵庫Ｒｆでは、他の調理機器（炊飯器等）から発生した蒸気による結露が発生した場合、突発的な条件の変化で発生した結露であるため、結露発生の原因が取り除かれると（例えば、調理が終了すると）、多くの場合結露は解消される。しかしながら、結露が使用者の使用感を損なう場合もある。
【００４７】
そこで、冷蔵庫Ｒｆでは、操作入力部Ｉｐを利用して操作者（使用者、作業者、修理者等）が結露防止ヒータ８の出力を調整することができるようになっている。図５に示すように、冷蔵庫Ｒｆの断熱箱体１００の内壁面には、図９に示す出力テーブルＴｂ１と同じ内容の表示ＩＦ１（出力表示）が設けられている。なお、表示ＩＦ１は、表面に出力テーブルＴｂ１が記されているシート（例えば、ステッカ）を貼付して表示するものであってもよいし、印刷等で直接表示するようにしてもよい。ここでは、出力テーブルＴｂ１が記されているシートを貼り付けるものを採用している。
【００４８】
例えば、結露防止ヒータ８の駆動中にもかかわらず、扉１１の結露が発生した場合、操作者は操作入力部Ｉｐで結露防止ヒータ８の出力を上げる操作を行う。断熱箱体１００（冷蔵室１）の内部に表示ＩＦ１が設けられており、操作者は、表示ＩＦ１の出力テーブルＴｂ１を確認し、操作入力部Ｉｐを利用して、結露防止ヒータ８の出力を１段階又は複数段階上げるための出力の入力を行う。なお、以下の説明では、出力の入力を数字で入力する。
【００４９】
例えば、周囲温度がＴｈ２以上Ｔｈ３未満で、周囲湿度がＨｍ５以上Ｈｍ６未満のとき、結露防止ヒータ８の出力がＷ３５であるときに結露が発生しているとすると、操作者は出力テーブルＴｂ１から次の段階、周囲温度がＴｈ３以上Ｔｈ４未満及び（又は）周囲湿度がＨｍ６以上Ｈｍ７未満とした値、すなわち、Ｗ４５、Ｗ３６及びＷ４６の値を出力テーブルＴｂ１から得ることができる。
【００５０】
操作者は、表示部Ｄｐを介して、周囲温度、周囲湿度及び結露防止ヒータ８の出力を取得しているので、表示ＩＦ１で表示されている出力テーブルＴｂ１を確認して、次の段階の結露防止ヒータ８の出力を取得することができる。以下に、操作者による結露防止ヒータ８の出力の調整操作について説明する。図１０は結露防止ヒータの出力を調整する手順を示すフローチャートである。
【００５１】
冷蔵庫Ｒｆでは、通常時（通常モードとする）には、操作者が結露防止ヒータ８の出力を調整することができない。そこで、冷蔵庫Ｒｆ（の制御部２００）には、結露防止ヒータ８の調整を行うことができるモード（調整モード）が備えられている。なお、調整モードは、使用者に周知されていてもよいし、製造及び（又は）修理を行う作業者（例えば、サービスマン）だけが知っているものであってもよい。ここでは、調整モード及び調整モードに切り替えるための操作入力部Ｉｐの操作は使用者にも周知のものとする。その周知方法としては、取扱説明書に明記するものであってもよいし、操作入力部Ｉｐの近傍に、調整モードへの切り替え方法を明記してもよい。
【００５２】
制御部２００は、操作入力部Ｉｐが調整モードに切り替えるための入力を受け付けたか確認する（ステップＳ１０１）。調整モードに切り替えるための入力として、第１ボタンスイッチＩｐ１〜第４ボタンスイッチＩｐ４を所定の手順で操作を行うことを挙げることができる。例えば、本実施形態では、第１ボタンスイッチＩｐ１、第２ボタンスイッチＩｐ２及び第３ボタンスイッチＩｐ３を１秒間、同時に押すことで調整モードに切り替わるものとする。調整モードの切り替わりが確認されるまで（ステップＳ１０１でＹｅｓになるまで、すなわち、ステップＳ１０１でＮｏの間）切り替わりの確認を繰り返す。
【００５３】
調整モードの切り替わりの操作入力を確認すると（ステップＳ１０１でＹｅｓとなると）、制御部２００は表示部Ｄｐを利用して、現在、周囲温度センサＳ３及び周囲湿度センサＳ４から取得している周囲温度、周囲湿度及び結露防止ヒータ８の出力を表示する（ステップＳ１０２）。表示部Ｄｐを利用して周囲温度、周囲湿度及び結露防止ヒータ８の出力を表示する方法として、ここでは、第１ＬＥＤランプＤｐ１〜第４ＬＥＤランプＤｐ４の点灯及び点滅の組み合わせを用いている。
【００５４】
例えば、第１ＬＥＤランプＤｐ１と第２ＬＥＤランプＤｐ２を、所定回数、同時に点滅することで周囲温度を示すことを操作者（使用者、作業者等）に通知する。そして、第１ＬＥＤランプＤｐ１〜第４ＬＥＤランプＤｐ４の点灯或いは点滅の組み合わせで、数字を表現する。数字の表現方法としては、例えば、第１ＬＥＤランプＤｐ１を十の位、第２ＬＥＤランプＤｐ２を一の位、第３ＬＥＤランプＤｐ３を小数点以下第一位として、それぞれのランプの点灯回数で数字を表現するものを挙げることができるが、これに限定されない。そして、第３ＬＥＤランプと第４ＬＥＤランプを所定回数、同時に点滅することで周囲温度の表示の終了を通知する。
【００５５】
同様に、第１ＬＥＤランプＤｐ１と第３ＬＥＤランプＤｐ３を同時に点滅させて、周囲湿度の表示であることを通知し、第２ＬＥＤランプＤｐ２と第４ＬＥＤランプＤｐ４の同時点滅で終了を通知する。以上の表示方法は一例であり、これ以外の方法が用いられても構わないが、操作者が容易に認識できるような表示方法が好ましい。さらに、表示部Ｄｐは、同様の方法で、現在の結露防止ヒータ８の出力を表示する。また、表示部Ｄｐの第１ＬＥＤランプＤｐ１〜第４ＬＥＤランプＤｐ４の点灯又は点滅に加えて、音による通知を同期させてもよい。
【００５６】
制御部２００は操作入力部Ｉｐが、周囲温度、周囲湿度及び結露防止ヒータ８の出力の表示を終了する操作入力を受け付けたか否か確認する（ステップＳ１０３）。なお、周囲温度、周囲湿度及び結露防止ヒータ８の出力の表示を終了する操作入力としては、例えば、第４ボタンスイッチＩｐ４（決定ボタン）を長押し（例えば、１秒）することを挙げることができるが、これに限定されない。
【００５７】
制御部２００が表示を終了する操作入力の受け付けを確認しない場合（ステップＳ１０３でＮｏの場合）、周囲温度、周囲湿度及び結露防止ヒータ８の出力の表示を繰り返す（ステップＳ１０２に戻る）。すなわち、周囲温度、周囲湿度及び結露防止ヒータ８の出力の表示を順に繰り返す。表示を複数回繰り返すことで、１回では読み取りが難しい場合でも、周囲温度、周囲湿度及び結露防止ヒータ８の出力の値を正確に読み取ることができる。
【００５８】
表示を終了する操作入力の受け付けを確認した場合（ステップＳ１０３でＹｅｓの場合）、制御部２００は、操作入力部Ｉｐが結露防止ヒータ８の出力を変更するための操作入力を受け付けたか否か確認する（ステップＳ１０４）。結露防止ヒータ８の出力を変更するための操作入力としては、例えば、第４ボタンスイッチＩｐ４（決定ボタン）を長押し（例えば、１秒）することを挙げることができるが、これに限定されない。
【００５９】
操作入力部Ｉｐが結露防止ヒータ８の出力を変更するための操作入力の受け付けを確認していない場合（ステップＳ１０４でＮｏの場合）、結露防止ヒータ８の出力を変更しない操作入力を受け付けたか否か確認する（ステップＳ１０５）。結露防止ヒータ８の出力を変更しない操作入力を受け付けたことを確認していない場合（ステップＳ１０５でＮｏの場合）、ステップＳ１０４に戻る。結露防止ヒータ８の出力を変更しない操作入力を受け付けたことを確認した場合（ステップＳ１０５でＹｅｓの場合）、通常モードに戻る（ステップＳ１１１）。
【００６０】
結露防止ヒータ８の出力を変更しない操作入力としては、例えば、第１ボタンスイッチＩｐ１（メニューボタン）を長押し（例えば、１秒）することを挙げることができるが、これに限定されない。出力を変更するための操作入力と異なる操作入力を広く採用することができる。
【００６１】
結露防止ヒータ８の出力を変更するための操作入力を受け付けた場合（ステップＳ１０４でＹｅｓの場合）、制御部２００は操作入力部Ｉｐからの操作入力に基づいて、結露防止ヒータ８の出力を取得する（ステップＳ１０６）。なお、操作入力部Ｉｐを用いた数字（出力）の入力方法としては、第２ボタンスイッチＩｐ２を「＋」ボタン、第３ボタンスイッチＩｐ３を「−」ボタンとして、数字を入力してもよい。
【００６２】
例えば、結露防止ヒータ８の調整後（変更した後）の出力が、６．４（Ｗ）であるとすると、一の位と小数点以下第一位とを別々に入力するものを例示できる。すなわち、第２ボタンスイッチＩｐ２（「＋」ボタン）を６回押し、第４ボタンスイッチＩｐ４（決定ボタン）を押して、一の位を決定し、その後、再度第２ボタンスイッチＩｐ２（「＋」ボタン）を４回押して、第４ボタンスイッチＩｐ４（決定ボタン）を押すことで小数点以下第一位を決定する。そして、再度、第４ボタンスイッチＩｐ４を押すことで、数値入力を確定するようにしてもよい。また、各桁の数値決定後、表示部Ｄｐで数値の確認を行うようにしてもよい。
【００６３】
また、操作者は現在の結露防止ヒータ８の出力を知っているので、次の段階との差を認識している。そのため、その差の分だけ、第２ボタンスイッチＩｐ２、第３ボタンスイッチＩｐ３を押すことで、調整するものであってもよい。
【００６４】
例えば、現在の出力が６．０（Ｗ）で、変更後の出力が６．４（Ｗ）とすると、第２ボタンスイッチＩｐ２（「＋」ボタン）を４回押し、第４ボタンスイッチＩｐ４（決定ボタン）を押すことで、決定するようにしてもよい。数値を直接入力する方法と差分を入力する方法のどちらを利用してもよいし、両方を備え、必要に応じて切り替えて使うようにしてもよい。また、入力方法は、これらに限定されるものではなく、これらとは異なる入力方法で入力を行うようにしてもよい。
【００６５】
制御部２００は、操作入力部Ｉｐへの出力を取得すると、取得した出力となるように結露防止ヒータ８の運転を開始（ステップＳ１０７）する。そして、制御部２００は、変更した結露防止ヒータ８の出力を記憶部２０２に記憶する（ステップＳ１０８）とともに、計時部２０１で出力変更開始からの時間を計測する（ステップＳ１０９）。
【００６６】
制御部２００は、出力変更開始から一定時間経過した確認し（ステップＳ１１０）、制御部２００は一定時間経過するまで（ステップＳ１１０でＹｅｓになるまで、つまり、ステップＳ１１０でＮｏの間）変更した出力で結露防止ヒータ８を制御する。一定時間の経
過を確認すると（ステップＳ１１０でＹｅｓになると）、制御部２００は調整モードから通常モードに戻す（ステップＳ１１１）。これにより、制御部２００は、出力テーブルＴｂ１を参照し、周囲温度センサＳ３及び周囲湿度センサＳ４からの周囲温度及び周囲湿度に基づいた出力となるように結露防止ヒータ８を制御する。
【００６７】
ここで、一定時間は、予め決められた時間であってもよい。また、周囲温度及び周囲湿度と、変更後の出力とから、制御部２００で結露発生を抑制できる時間を算出し、算出した時間或いはそれよりも多少長い時間としてもよい。
【００６８】
なお、結露防止ヒータ８の出力をどの程度、すなわち、何段階進めた値に変更するかについては、例えば、操作者が、製造元の窓口に電話で状態を説明し、その状態を聞いた応対者からの指示に従って、変更する出力を決定するようにしてもよい。また、これまでの経験から、変更後の出力を決定するようにしてもよい。さらには、結露防止ヒータ８の出力の決定方法を取扱説明書に記載しておき、取扱説明書に従って決定するようにしてもよい。
【００６９】
また、使用者が温度計及び湿度計を所有している場合もある。このような場合、使用者が、所有している温度計及び湿度計で結露が発生している部分の近傍の温度及び（又は）湿度を計測できる。そして、計測された温度及び湿度に基づいて出力テーブルＴｂ１から結露防止ヒータ８の適切な出力（変更する出力）を決定するようにしてもよい。
【００７０】
このように操作することで、結露が発生している部分の近傍での正確な温度及び湿度に基づいて、結露防止ヒータ８の出力を決定するため、結露防止のために必要で且つ大きすぎない出力で結露防止ヒータ８を駆動することが可能である。なお、使用者が温度計又は湿度計の一方を所有している場合は、周囲温度センサＳ３又は周囲湿度センサＳ４で検出した周囲温度及び周囲湿度のうち、使用者が計測していない方を利用するようにしてもよい。
【００７１】
また、本実施形態の場合、結露防止ヒータ８の変更する出力を数字で入力する構成であるため、結露防止ヒータ８の出力として、出力テーブルＴｂ１の隣合う段階の間の数値とすることも可能である。例えば、図９に示す出力テーブルＴｂ１において、Ｗ２４が２．０（Ｗ）でＷ２５が２．６（Ｗ）であったとすると、調整モードでＷ２４からＷ２５に段階を上げて出力を変更するときに、２．６ではなくて、２．１〜２．５のいずれかを入力することも可能である。
【００７２】
このような構成とすることで、操作者が結露防止ヒータの出力を結露防止のために過不足なく変更することが可能となる。このように結露防止ヒータの出力を正確に調整することができるため、消費電力を抑えるとともに、結露の発生を抑制し、使用者の利便性を高めることが可能である。
【００７３】
なお、出力テーブルＴｂ１がインターネット上に閲覧可能としている場合や取扱説明書に記載されている場合もある。これらの出力テーブルＴｂ１を参照しても同様の操作を行うことは可能であるが、インターネット上のデータの場合、出力テーブルＴｂ１を表示するための機器（タブレット端末、ノートパソコン等）が必要であるとともにインターネット接続が必要である。そのため、これらの要件を満たさないと、出力テーブルＴｂ１を見ることができない。また、これらの要件を満していたとしても、冷蔵庫Ｒｆの設置場所や操作入力部Ｉｐの場所によっては、機器を置く場所が無い場合があり、機器を見ながらの操作が困難な場合がある。
【００７４】
また、取扱説明書に記載の場合、取扱説明書を見ながら行う必要があり、取扱説明書を
保持しながら、操作入力部Ｉｐの操作を行うため作業が煩わしい。また、取扱説明書は、冷蔵庫Ｒｆと別の場所に保管されている場合があり、必要なときにすぐに情報を得られない場合もある。さらに取扱説明書は紛失される場合もあり、この場合、必要な情報を得ることができなくなる。
【００７５】
一方、本発明の冷蔵庫Ｒｆの場合、冷蔵庫Ｒｆの断熱箱体１００の内面に表示ＩＦ１が設けられているので、操作者は、必要なときにすぐに周囲温度、周囲湿度及び結露防止ヒータ８の出力の関係を取得することが可能である。
【００７６】
なお、結露防止ヒータ８の出力変更が頻繁に行われる場合、定常的に扉１１の周囲の温度及び（又は）湿度が高くなっているものと考えられる。そのため、結露防止ヒータ８の出力変更の頻度が一定以上（例えば、２４時間以内に３回以上）の場合、変更した出力を維持して結露防止ヒータ８を運転するようにしてもよい。
【００７７】
本実施形態において、表示部Ｄｐとして、４個のＬＥＤランプを用いたものとしているが、これに限定されるものではない。例えば、数字の表示が可能な表示装置（例えば、７セグメント表示装置）を用いてもよいし、液晶パネルのような画像を表示できるものを用いてもよい。また、これらを組み合わせて用いてもよい。数字の表示が可能な表示部を用いる場合、周囲温度、周囲湿度及び結露防止ヒータ８の出力を数字で表示するようにしてもよい。また、操作入力部Ｉｐとして、テンキーを含むものであってもよいし、表示部Ｄｐが液晶パネルの場合、液晶パネル上の領域に触れることで操作入力を行うタッチパネルであってもよい。また、操作入力部Ｉｐが断熱箱体１００の内部に設けられているものもあり、このような場合、操作入力部Ｉｐの近傍に表示ＩＦ１が配置されていることが好ましい。
【００７８】
なお、表示部Ｄｐとして、液晶パネルを用いるものの場合、出力テーブルＴｂ１と同じマス目の画像（マス目の内部に結露防止ヒータ８の出力を表示してもよい）を表示し、操作入力部Ｉｐでマス目を選択して、出力を決定するようにしてもよい。
【００７９】
また、使用者の目につきやすい部分に表示ＩＦ１を設けていることで、使用者が結露防止ヒータ８の出力を認識することができる。そのため、結露防止ヒータ８が設けられている部分（ここでは、右側の扉１１Ｒ）の近傍が高温になっている理由を知ることができ、使用者の不安を抑制することができる。
【００８０】
（第２実施形態）
本発明にかかる冷蔵庫の他の例について図面を参照して説明する。図１１は本発明にかかる冷蔵庫の他の例の背面図であり、図１２は出力テーブルの他の例を示す図である。図１１に示す冷蔵庫Ｒｆは、図１等に示す冷蔵庫Ｒｆと同じ構成を有しており、実質上同じ部分には同じ符号を付すとともに、詳細な説明は省略する。
【００８１】
上述では、他の機器からの蒸気を受ける等の突発的な条件の変化によって発生する結露を抑制するものであるため、調整モードは使用者が操作することを考えて、操作入力部Ｉｐで操作できるようになっていた。しかしながら、冷蔵庫Ｒｆに取り付けられている各種センサの異常や結露防止ヒータ８の異常が原因で結露が発生している場合もある。
【００８２】
このような結露は、冷蔵庫Ｒｆ（センサ、ヒータ等）の異常（故障）が原因であるため、使用者による上述のような操作で、根本的に解決することは困難である。そこで、冷蔵庫Ｒｆに対して一定以上の技術（知識）を有する作業者が冷蔵庫Ｒｆ（センサ、ヒータ等）の問題点を診断し、その問題点を解決して、冷蔵庫Ｒｆの修理を行うことで結露の発生を抑制する。
【００８３】
冷蔵庫Ｒｆの修理を行う場合において、作業者は、冷蔵庫Ｒｆの制御部２００が設けられた制御基板Ｂｄの所定の端子に検査装置Ｔｓを接続し、各端子からの信号を検出する。なお、図１１に示す検査装置Ｔｓは、電圧計ＶｍとノートパソコンＰｃであるがこれに限定されるものではなく、周囲温度信号及び周囲湿度信号を検出できる機器を広く採用することができる。
【００８４】
上述のとおり周囲温度センサＳ３及び周囲湿度センサＳ４は周囲温度及び周囲湿度を周囲温度信号及び周囲湿度信号として制御部２００に送信している。図１１に示す検査装置Ｔｓでは、これらの信号を直接取得している。周囲温度信号及び周囲湿度信号は、周囲温度センサＳ３及び周囲湿度センサＳ４の出力電圧（Ｖ）である。周囲温度信号は、温度が高くなるほど信号電圧が小さくなり、周囲湿度信号は湿度が高くなるほど信号電圧が大きくなる。また、検査装置Ｔｓは、制御基板Ｂｄから結露防止ヒータ８を制御する制御信号を取得しており、制御信号から結露防止ヒータ８の通電率（デューティー比）を取得する。
【００８５】
例えば、周囲温度信号及び周囲湿度信号を電圧計で検出し、結露防止ヒータ８の通電率をノートパソコンＰｃで検出する場合、図９に示すような、出力テーブルＴｂ１では、各信号から、周囲温度、周囲湿度及び結露防止ヒータ８の出力に変換する必要がある。そこで、作業者による修理作業時には、図１２に示すような、周囲温度信、周囲湿度信号及び露防止ヒータ８の通電率を関連付けた出力テーブルＴｂ２を用いる。
【００８６】
図１２に示す出力テーブルＴｂ２は周囲温度信号電圧と周囲湿度信号電圧に対する結露防止ヒータ８の通電率を示している。横方向に周囲温度信号を電圧範囲で分布し、縦方向に周囲湿度信号を電圧範囲で分布している。なお、図１２に示す例では、周囲温度信号の分布の区切りを５段階、周囲湿度信号の分布の区切りを１０段階としているがこれに限定されるものではなく、さらに多い（少ない）段階に分割されていてもよい。
【００８７】
なお、図１２に示す出力テーブルＴｂ２は、表示している値が異なるだけで、出力テーブルＴｂ１と実質上同じ内容となっている。例えば、周囲温度信号がＳｔ２以上Ｓｔ３未満で周囲湿度信号がＳｈ５以上Ｓｈ６未満のときと、周囲温度がＴｈ２以上Ｔｈ３未満で周囲湿度がＨｍ５以上Ｈｍ６未満のときとが同じである。また、結露防止ヒータ８は通電率がＣ３５のとき出力がＷ３５となる。
【００８８】
周囲温度センサＳ３、周囲湿度センサＳ４及び結露防止ヒータ８が正確に動作しているか確認するため、冷蔵庫Ｒｆの周囲温度センサＳ３及び周囲湿度センサＳ４から周囲温度及び周囲湿度を検出するとともに、結露防止ヒータ８の通電率を検出する。そして、これらの値と、出力テーブルＴｂ２とを比較する。
【００８９】
そして、冷蔵庫Ｒｆでは、出力テーブルＴｂ２を示した表示ＩＦ２が、冷蔵庫Ｒｆの背面、すなわち、断熱箱体１００の開口が形成されているのと反対側に設けられている。制御基板Ｂｄからは、周囲温度信号、周囲湿度信号及び結露防止ヒータ８の通電率を直接取得しているため、受信した信号から周囲温度、周囲湿度及び結露防止ヒータ８の出力に変換する手間を省くことが可能である。また、信号を直接取得する構成であるため、信号自体の不具合（例えば、ノイズや断線等）の診断も可能である。
【００９０】
そして、制御基板Ｂｄは、機械室１０内に配置されているものであるため、冷蔵庫Ｒｆの修理（メンテナンス）を行うために、作業者は必ず冷蔵庫Ｒｆの背面にアクセスする。冷蔵庫Ｒｆの背面に出力テーブルＴｂ２を示す表示ＩＦ２が設けられていることで、作業者が周囲温度信号、周囲湿度信号及び結露防止ヒータ８の関係を正確に把握することが可
能である。
【００９１】
そして、作業者は、検出した周囲温度信号、周囲湿度信号及び結露防止ヒータ８の通電率を出力テーブルＴｂ２と照らし合わせ、異常がある（例えば、結露防止ヒータ８の出力が足りない）場合には、異常がある部分の特定が可能であり、修理或いは交換を行うことができる。
【００９２】
さらには、表示ＩＦ２を見ながら診断ができるため、試験装置Ｔｓを接続する制御基板Ｂｄ上の端子さえわかれば、別途、作業者用の冊子（サービスマニュアル等）が不要であり、冷蔵庫Ｒｆの詳細を知らない作業者であっても診断が可能である。なお、制御基板Ｂｄのどの端子の電圧を測定するかについては、表示ＩＦ２に出力テーブルＴｂ２とともに記載されていてもよい。また、表示ＩＦ２は、断熱箱体１００の背面に設けられているが、これに限定されず、蓋に設けられていてもよいし、蓋の裏面に設けられていてもよい。
【００９３】
また、表示ＩＦ２に、出力テーブルＴｂ１と出力テーブルＴｂ２を並べて表示するようにしてもよい。このようにすることで、例えば、作業者が別途用意した温度計又は湿度計で温度又は湿度を測定し、温度と周囲温度信号又は湿度と周囲湿度信号を比較することで、周囲温度センサＳ３及び（又は）周囲湿度センサＳ４の不具合（破損、故障等）を診断することも可能である。
【００９４】
また、冷蔵庫Ｒｆが断熱箱体１００の上面に配置された周囲温度センサＳ３及び周囲湿度センサＳ４から周囲温度信号及び周囲湿度信号を直接検出できる場合がある。この場合、図７に示すように、出力テーブルＴｂ２を含む表示ＩＦ３が断熱箱体１００の上面（天面）に設けられていてもよい。このような位置に表示ＩＦ３を行うことで、冷蔵庫Ｒｆの背面に回る必要が無いため、作業が容易になる。なお、冷蔵庫Ｒｆの上面から結露防止ヒータ８の通電量を検出できるようになっていてもよい。また、上述のように制御基板Ｂｄからも検出が可能である構成の場合、表示ＩＦ２と表示ＩＦ３との両方を設けてもよい。
【００９５】
また、使用者には知らせない隠しモードが含まれていてもよい。隠しモードに切り替わると、周囲温度の分布はそのままで、周囲湿度が最大のときの出力で結露防止ヒータ８を駆動する。このような駆動を行うことで、結露防止ヒータ８で結露が解消されるか否か確認することができる。なお、隠しモードになったときには、周囲湿度が現在の段階よりも１段又は複数段高くなるように変更してもよく、必ずしも、周囲湿度が最大のときの出力でなくてもよい。
【００９６】
さらに、制御基板Ｂｄから、使用者宅の電源の電圧を検出し、検出した電圧に基づいて結露防止ヒータ８の出力を補正するようにしてもよい。例えば、日本国内で使用する場合、冷蔵庫Ｒｆは交流１００Ｖ、５０Ｈｚ／６０Ｈｚの定格電圧で設計されていることがほとんどである。そして、使用者宅の電源電圧が何らかの原因で９０Ｖであった場合、通電量（出力）は、０．８１倍になる。このときには、出力テーブルＴｂ２の各通電量を２０％アップとして、結露防止ヒータ８を駆動するように調整を行う。このように調整を行うことで、設置場所によらず、確実に結露防止を行うことができる。
【００９７】
なお、使用者宅の電源の電圧の検出は、作業者が、試験装置Ｔｓを用いて行うようにしてもよいし、制御部２００に電圧を検出する機能を予め設けておき、その電圧値を利用する（表示部Ｄｐに表示する、試験装置Ｔｓで検出する等）ようにしてもよい。また、制御部２００が電圧を検出する機能を備えている場合、自動的に補正するようにしてもよいし、作業者が補正するようにしてもよい。
【００９８】
（第３実施形態）
本発明にかかる冷蔵庫のさらに他の例について図面を参照して説明する。図１３は本発明にかかる冷蔵庫の他の例の動作を示すフローチャートである。本実施形態にかかる冷蔵庫Ｒｆの構造は、第１実施形態の冷蔵庫Ｒｆと同じである。そのため、実質上同じ部分には同じ符号を付すとともに同じ部分の詳細な説明は省略する。また、出力テーブルＴｂ１についても第１実施形態と同じものを用いるものとする。
【００９９】
出力テーブルＴｂ１は、次のようにして作成される。まず、冷蔵庫Ｒｆの製造時に環境条件が一定の測定室内で冷蔵庫Ｒｆを運転し、結露が発生しないように結露防止ヒータ８を動作させ、そのときの結露防止ヒータ８の出力を取得する。そして、この環境条件での結露防止ヒータ８の出力に基づいて、周囲温度、周囲湿度の条件ごとの結露防止ヒータ８の出力を算出して、出力テーブルＴｂ１を作製している。
【０１００】
一方、冷蔵庫Ｒｆが実際に使用される場所（台所）は、それぞれ、周囲の環境の条件（温度、湿度、日照等）が異なり、出力テーブルＴｂ１を作成したときに想定している条件とは異なる環境条件下で使用される場合がある。想定とは異なる環境条件下で出力テーブルＴｂ１を参照して周囲温度及び周囲湿度に基づいて結露防止ヒータ８の出力を決定した場合、結露が発生してしまうことがある。
【０１０１】
そして、結露発生時には、上述のような結露防止ヒータ８の出力の変更が操作者によって行われる。制御部２００は、出力の変更が頻繁に行われる場合、結露防止ヒータ８の出力として、出力テーブルＴｂ１に基づく出力では十分ではないと判断し、出力の較正を行う。以下に、出力の較正の手順について図１３を用いて説明する。
【０１０２】
制御部２００は、冷蔵庫Ｒｆの運転開始から、結露防止ヒータ８の出力変更をモニターする（ステップＳ２０１）。そして、或る周囲温度及び周囲湿度条件において、所定時間内に一定回数以上（例えば、運転開始から３０日で１００回以上）の出力変更が行われたか確認する（ステップＳ２０２）。所定時間内に一定回数以上の出力変更が行われていない場合（ステップＳ２０２でＮｏの場合）、ステップＳ２０１に戻って出力変更のモニターを継続する。
【０１０３】
所定時間内に一定回数以上の出力変更が行われた場合（ステップＳ２０２でＹｅｓの場合）、制御部２００は出力変更の履歴を確認し、変更が行われたときの周囲温度、周囲湿度及び変更後の結露防止ヒータ８の変更後の出力を取得する（ステップＳ２０３）。そして、全ての変更後の出力を集めて平滑化する（ステップＳ２０４）。そして、出力の変更が所定時間内に一定回数以上行われた周囲温度及び周囲湿度の段階の結露防止ヒータ８の出力を平滑化し、その出力を記憶部２０２に記憶している出力テーブルＴｂｍ１の対応する段階の出力と置き換える（ステップＳ２０５）。なお、平滑化の方法としては、例えば、相加平均を挙げることができるが、これに限定されるものではなく、例えば、標準偏差を用いるものであってもよい。
【０１０４】
このように、記憶されている出力テーブルＴｂｍ１の頻繁に出力変化が行われる周囲温度及び（又は）周囲湿度における結露防止ヒータ８の出力を置き換えていくことで、冷蔵庫Ｒｆの結露防止ヒータ８を適切に駆動させることが可能である。これにより、確実に結露を抑制するとともに、電力の浪費（結露防止ヒータ８で過剰な電力を消費すること）を抑制することができる。
【０１０５】
なお、表示ＩＦ１の出力テーブルＴｂ１は変更されないため、操作者が表示ＩＦ１の出力テーブルＴｂ１を参照して出力を変更した場合、制御部２００は出力テーブルＴｂｍ１の対応する出力を取得し、その出力で結露防止ヒータ８の制御を行う。また、これに限定されるものではない。例えば、操作入力部Ｉｐを介して出力を受け付けた場合、現在の出
力よりも大きい場合は、その値を利用し、小さい場合は、記憶されている出力テーブルＴｂｍ１の対応する出力を利用するようにしてもよい。また、これらに限定されるものではなく、比率で修正するものや、差分を加えるものを採用してもよい。
【０１０６】
（第４実施形態）
本発明にかかる冷蔵庫のさらに他の例について説明する。本発明にかかる冷蔵庫Ｒｆの構成は第１実施形態の冷蔵庫Ｒｆと同じであり、詳細な説明は省略する。周囲湿度センサＳ４は水や油に付着によって、検出精度が低下することがある。上述のとおり、冷蔵庫Ｒｆは、台所に設置されることが多く、揚げもの、炒めもの等の油を使用した調理を行うことで、油が飛んでしまう。また、埃や塵等が付着しても検出精度が低下してしまう。そのため、冷蔵庫Ｒｆでは、ヒンジカバー１１１で覆って、油、埃や塵等の周囲湿度センサへの付着を抑制しているが冷蔵庫Ｒｆの運転継続期間が長くなると、周囲湿度センサＳ４の検出精度が低下する場合がある。
【０１０７】
そのため、記憶部２０２に記憶している出力テーブルＴｂｍ１（ここでは、出力テーブルＴｂ１と同じ）を参照して周囲温度及び周囲湿度に基づいて得た出力で、結露防止ヒータ８を駆動すると、結露が発生することがある。そのため、冷蔵庫Ｒｆでは、上述のように、操作入力部Ｉｐを用いて操作を行うことで、結露防止ヒータ８の出力を変更している。
【０１０８】
なお、周囲湿度センサＳ４は油や埃等の影響を受けて検出精度が大幅に低下するが、周囲温度センサＳ３はあまり変化しないことが多い。そのため、出力テーブルＴｂｍ１に基づいて結露防止ヒータ８の出力を変更する場合、周囲湿度側だけにシフトする。すなわち、出力テーブルＴｂｍ１において、結露防止ヒータ８の下側に配置されている出力値を利用する。そして、変更した段数（枠の数）を較正量として、記憶部２０２に記憶する。そして、制御部２００は、結露防止ヒータ８を変更した出力で一定時間運転した後、通常モード、すなわち、出力テーブルＴｂ１を参照して周囲温度及び周囲湿度に基づいて出力を決定する運転に戻る。このとき、制御部２００が、出力テーブルＴｂｍ１を参照し、周囲温度及び周囲湿度に基づいて出力を決定する時、上述の較正値で下方向に数段移動した出力値を採用する。
【０１０９】
たとえば、周囲温度がＴｈ２以上Ｔｈ３未満で、周囲湿度Ｈｍ５以上Ｈｍ６未満のとき、出力テーブルＴｂｍ１を参照した出力はＷ３５となる。そして、で、較正量が「２段階上げ」とすると、較正を行った後の出力はＷ３７であり、出力Ｗ３７で結露防止ヒータ８を駆動する。このように、周囲湿度を較正することで、周囲湿度センサＳ４の測定誤差を補正して、結露防止ヒータ８をきっちり動作させることができる。
【０１１０】
なお、結露防止ヒータ８の出力を出力テーブルＴｂｍ１の段階を上げるように較正する場合、較正量（段数）と検出湿度によっては、出力テーブルＴｂｍ１の最も下の段（最も条件が厳しい段階）よりもさらに下の段に移行するようになる場合がある。このような場合に備えて、出力テーブルＴｂ１に最下段（ここでは、湿度Ｈｍ９以上）よりもさらに下方に仮想の段階を設け、その段階の出力を設定しておくようにしてもよい。また、出力テーブルＴｂｍ１の最も下の段よりも下の段に移行するような較正の場合、最も下の段の（最も条件が厳しい）出力を結露防止ヒータ８の出力としてもよい。
【０１１１】
本実施形態の較正は、計時劣化（油や埃の付着）による周囲湿度の検出精度の低下を較正している。そのため、この較正の処理は、冷蔵庫Ｒｆの運転開始後或いは周囲湿度センサＳ４の清掃後、所定時間経過するまで行わないようにしてもよい。なお、周囲湿度センサＳ４の清掃後には、操作入力部Ｉｐでカウンターをリセットするようにすればよい。
【０１１２】
また、本実施形態では、周囲湿度センサＳ４の較正を行っているが、これに限定されるものではなく、周囲温度センサＳ３の較正を行ってもよいし、周囲温度センサＳ３或いは両方を較正するようにしてもよい。
【０１１３】
上述した各実施形態では、冷蔵室１の一対の扉１１の合せ部分の結露を防止するためのヒータの出力を決定するものであるが、これに限定されるものではない。例えば、冷蔵室と冷凍室との仕切壁の前面の結露を防止するためのヒータの出力を変更するものや側壁の結露を防止するヒータの出力であってもよい。冷蔵庫Ｒｆに備えられている結露防止ヒータであって、周囲温度及び周囲湿度で決定されるものを広く採用することができる。
【０１１４】
また、上述した各実施形態では、冷蔵庫Ｒｆ本体に操作入力部Ｉｐと表示部Ｄｐとを備えた構成としているが、これに限定されない。例えば、冷蔵庫Ｒｆが有線又は無線で通信が可能な構成である場合、スマートフォン、ＰＣ、タブレット等の情報端末の表示部に表示し、情報端末の入力装置を操作入力部として操作入力を行うようにしてもよい。
【０１１５】
上述した各実施形態では、表示を断熱箱体１００の内面（表示ＩＦ１）、背面（表示ＩＦ２）及び上面（表示ＩＦ３）に設けたものを示している。しかしながら、これに限定されるものではなく、断熱箱体１００の側面や、扉１１の内面等であってもよい。
【０１１６】
以上、本発明の実施形態について説明したが、本発明はこの内容に限定されるものではない。また本発明の実施形態は、発明の趣旨を逸脱しない限り、種々の改変を加えることが可能である。
【０１１７】
本発明にかかる冷蔵庫は、本体の周囲温度を検出する温度検出部と、前記本体の周囲湿度を検出する湿度検出部と、本体の一部を加熱して結露を防止する結露防止ヒータとを有し、前記結露防止ヒータは、本体の周囲温度及び周囲湿度に基づいた出力で運転されるとともに必要に応じて出力の変更が可能であり、前記本体の所定位置に前記周囲温度及び前記周囲湿度と前記結露防止ヒータの出力との関係を示す表である出力表示が配置されていることを特徴とする。
【０１１８】
上述の冷蔵庫は、前記出力表示が前記結露防止ヒータの出力として、前記結露防止ヒータへの通電量を用いていてもよい。
【０１１９】
上述の冷蔵庫は、前記出力表示は、前記周囲温度の情報として前記温度センサから出力される信号の電圧値を用いていてもよい。
【０１２０】
上述の冷蔵庫は、前記出力表示は、前記周囲湿度の情報として前記湿度センサから出力される信号の電圧値を用いていてもよい。
【０１２１】
上述の冷蔵庫は、操作入力を受け付ける操作入力部を備えており、前記操作入力部が操作入力を受け付けたとき、前記結露防止ヒータの運転出力が前記操作入力に基づいた出力に変更されるようにしてもよい。
【０１２２】
上述の冷蔵庫は、前記結露防止ヒータの出力を表示する表示部を備えていてもよい。
【０１２３】
上述の冷蔵庫は、前記表示部は、前記周囲温度及び前記周囲湿度を表示可能であってもよい。
【０１２４】
上述の冷蔵庫は、操作入力に基づいて変更された出力で前記結露防止ヒータを駆動するとともに、一定時間経過後には、前記周囲温度及び前記周囲湿度に基づく出力で前記結露
防止ヒータを駆動するようにしてもよい。
【０１２５】
上述の冷蔵庫は、前記出力表示から前記周囲温度及び前記周囲湿度に基づく出力を取得するとともに、前記操作入力部からの操作入力に基づく出力とを比較し、前記周囲温度と前記周囲湿度に対する出力を較正してもよい。
【符号の説明】
【０１２６】
Ｒｆ  冷蔵庫
１００  断熱箱体
１  冷蔵室
１１  扉
１１０  ヒンジ
１１１  ヒンジカバー
１２  棚
１３  ポケット
１４  圧縮機
２  下段冷凍室
２１  扉
２２  収納ケース
２３  摺動ケース
２００  制御部
２０１  計時部
２０２  記憶部
３  上段冷凍室
３１  扉
３２  収納ケース
４  製氷室
４１  扉
４２  収納ケース
５  野菜室
５１  扉
５２  収納ケース
６  冷気通路
６１  冷凍室ファン
６２  蒸発器
６３  除霜ヒータ
６３１  ヒータカバー
６０１、６０２、６０３  吐出口
６０４  戻り口
７  冷気流路
７１  ダンパ
７２  冷蔵室ファン
７０１  吐出口
７０２  連通路
７０３  戻り口
８  結露防止ヒータ
Ｓ１  冷凍室温度センサ
Ｓ２  冷蔵室温度センサ
Ｓ３  周囲温度センサ
Ｓ４  周囲湿度センサ
Ｉｐ  操作入力部
Ｄｐ  表示部
【図１】
2019200043.tif 000003
【図２】
2019200043.tif 000004
【図３】
2019200043.tif 000005
【図４】
2019200043.tif 000006
【図５】
2019200043.tif 000007
【図６】
2019200043.tif 000008
【図７】
2019200043.tif 000009
【図８】
2019200043.tif 000010
【図９】
2019200043.tif 000011
【図１０】
2019200043.tif 000012
【図１１】
2019200043.tif 000013
【図１２】
2019200043.tif 000014
【図１３】
2019200043.tif 000015